(57)【要約】【課題】  アンカー部２に連結されるアンカー固定部と、アンカー部２にアンカー固定部を連結したときに躯体壁に圧接される鍔部８とを杆状のブラケット本体１に設けた胴縁取付用ブラケットにおいて、細径のアンカー部２によっても十分な取り付け強度が確実に得られるようにする。【解決手段】  ブラケット本体１の中間部に鍔部８を設け、ブラケット本体１の一端側を鍔部８より突出させて、躯体壁に形成された削孔に挿入可能とすると共に、このブラケット本体の一端側にアンカー固定部を設け、しかも鍔部８に、アンカー固定部側の内周部に形成された窪み部９と、該窪み部９に対応する位置で鍔部８を貫通する、接着剤充填確認用の貫通孔１０とを設ける。【選択図】  図１
2006307421.tif 000002
【特許請求の範囲】
【請求項１】
杆状のブラケット本体の中間部に、外方に張り出した鍔部が設けられており、該鍔部より突出したブラケット本体の一端側が建物の躯体壁に形成された削孔に挿入可能で、しかも当該一端側に、躯体壁に固定されるアンカー固定部が設けられている一方、前記鍔部が、アンカー固定部側の内周部に形成された窪み部と、該窪み部に対応する位置で鍔部を貫通する、接着剤充填確認用の貫通孔とを有することを特徴とする胴縁取付用ブラケット。
【請求項２】
アンカー固定部が、鍔部から突出したブラケット本体の一端側の範囲内で、該一端側の端面から軸方向に形成された雌ネジ部であることを特徴とする請求項１に記載の胴縁取付用ブラケット。
【請求項３】
請求項１または２に記載の胴縁取付用ブラケットを建物の躯体壁に取り付ける胴縁取付用ブラケットの取付方法において、躯体壁に形成した削孔内にアンカー部を取り付けると共に接着剤を充填し、ブラケット本体の一端側のアンカー固定部を該削孔内に挿入し、鍔部の接着剤充填確認用の貫通孔から接着剤が押し出されるのを確認しながら、削孔内のアンカー部にアンカー固定部を連結することを特徴とする胴縁取付用ブラケットの取付方法。
【発明の詳細な説明】
【技術分野】
【０００１】
本発明は、特に鉄筋コンクリート（ＲＣ）、プレキャストコンクリート（ＰＣ）、軽量気泡コンクリート（ＡＬＣ）などのコンクリート製の建物の躯体壁に胴縁を取り付けるために用いる胴縁取付用ブラケットおよびその取付方法に関する。
【背景技術】
【０００２】
従来、胴縁取付用ブラケットとしては、一端側の末端周囲に張り出した鍔部および中心部を貫通して設けられたアンカー固定部である雌ネジ部を備えた杆状のブラケット本体と、ブラケット本体の他端側に取り付けられた胴縁受け板とを備えたものが知られている（例えば、特許文献１参照）。
【０００３】
上記胴縁取付用ブラケットは、建物の躯体壁に固定されたアンカーの雄ネジ部に、ブラケット本体の雌ネジ部を鍔部側から螺合させ、鍔部を建物の躯体壁に圧接させて躯体壁に取り付けられるものとなっている。また、この胴縁取付用ブラケットの躯体壁への取り付けを、躯体壁に形成した削孔内に樹脂モルタルなどの接着剤を充填してからアンカー部を押し込み、接着剤の硬化後、削孔から突出したアンカー部の雄ネジ部と、ブラケット本体の雌ネジ部とを螺合することで行うことが知られている（特に特許文献１の段落〔００９８〕〜〔０１００〕および図９参照）。
【０００４】
【特許文献１】特開２００４−２５１０３１号公報
【発明の開示】
【発明が解決しようとする課題】
【０００５】
しかしながら、上記従来の胴縁取付用ブラケットにおいては、ブラケット本体の躯体壁側の末端に鍔部が設けられていることから、躯体壁へ取り付けた状態において、ブラケット本体は全体が削孔外に位置し、アンカー部のみによって支えられた状態となる。従って、アンカー部を太径のものとしないと、十分な取り付け強度が得にくい問題がある。アンカー部を太径とした場合、このアンカー部と螺合されるブラケット本体も必然的に太径となり、例えば外断熱を施す場合の熱損失が大きくなる。また、削孔に充填される接着剤は、躯体壁へのアンカー部の固定のみを目的としたものであり、ブラケット本体の躯体壁への固定や、ブラケット本体とアンカー部の連結に寄与していない。このことも、十分な取り付け強度が得にくい原因となっている。
【０００６】
本発明は、上記従来の問題点に鑑みてなされたもので、アンカー部に連結されるアンカー固定部と、アンカー部にアンカー固定部を連結したときに躯体壁に圧接される鍔部とを杆状のブラケット本体に設けた胴縁取付用ブラケットにおいて、細径のアンカー部によって十分な取り付け強度が得られるようにすると共に、その確実な取り付けを容易に行うことができるようにすることを目的とする。
【課題を解決するための手段】
【０００７】
このために本発明は、杆状のブラケット本体の中間部に、外方に張り出した鍔部が設けられており、該鍔部より突出したブラケット本体の一端側が建物の躯体壁に形成された削孔に挿入可能で、しかも当該一端側に、躯体壁に固定されるアンカー固定部が設けられている一方、前記鍔部が、アンカー固定部側の内周部に形成された窪み部と、該窪み部に対応する位置で鍔部を貫通する、接着剤充填確認用の貫通孔とを有することを特徴とする胴縁取付用ブラケットを提供するものである。
【０００８】
上記本発明に係る胴縁取付用ブラケットは、アンカー固定部が、鍔部から突出したブラケット本体の一端側の範囲内で、該一端側の端面から軸方向に形成された雌ネジ部であることをその好ましい態様として含むものである。
【０００９】
また、本発明は、上記本発明の胴縁取付用ブラケットを建物の躯体壁に取り付ける胴縁取付用ブラケットの取付方法において、躯体壁に形成した削孔内にアンカー部を取り付けると共に接着剤を充填し、ブラケット本体の一端側のアンカー固定部を該削孔内に挿入し、鍔部の接着剤充填確認用の貫通孔から接着剤が押し出されるのを確認しながら、削孔内のアンカー部にアンカー固定部を連結することを特徴とする胴縁取付用ブラケットの取付方法を提供するものでもある。
【発明の効果】
【００１０】
本発明に係る胴縁取付用ブラケットの取り付けは、アンカーの削孔への打ち込み前または打ち込み後に削孔内に接着剤を充填して行われる。削孔に打ち込まれているアンカー部にブラケット本体のアンカー固定部を連結して締め付けると、鍔部が躯体壁に密着すると共に、この鍔部から躯体壁側に突出しているブラケット本体の一端側のアンカー固定部が、接着剤が充填されている削孔に入り込む。そして、削孔に入り込んだブラケット本体の一端側のアンカー固定部が、接着剤によって削孔に固定されると共に、アンカー部とブラケット本体の連結箇所も接着剤で補強されることになる。このため、ブラケット本体とアンカー部の連結が強固になるだけではなく、ブラケット本体は、アンカー部と、削孔内に接着されたその一端部のアンカー固定部との両者によって躯体壁に固定されることになり、アンカー部が細径であっても、強固な取り付け状態が得られる。
【００１１】
ところで、ブラケット本体の一端部が、接着剤が充填されている削孔に入り込むと、削孔から接着剤が押し出され、躯体壁と鍔部との間に挟み込まれて、鍔部の躯体壁への密着が妨げられやすくなる。鍔部と躯体壁の密着度が低下すると、十分な耐力が得にくくなり、ブラケット本体の躯体壁に対する垂直度を保ちにくくなる。
【００１２】
本発明に係る胴縁取付用ブラケットの鍔部に設けられた窪み部は、削孔から押し出された接着剤を収容し、鍔部と躯体壁の密着が妨げられないようにするためのものである。また、窪み部の体積を超えて接着剤が押し出された場合、窪み部内の接着剤は貫通孔から外へ押し出されることになる。このため、本発明に係る胴縁取付用ブラケットによれば、確実に鍔部を躯体壁に密着させることができ、十分な耐力を得ることができる。特に窪み部内に収容された接着剤は、鍔部を躯体壁に接着して補強するものとなる。また、貫通孔からある程度の量の接着剤が押し出されることを目視して確認することで、削孔内に十分な量の接着剤が充填されていることを確認することができる。このため、接着剤の充填不足や充填忘れを防止することができ、作業の確実性が向上する。
【発明を実施するための最良の形態】
【００１３】
図１〜図４に基づいて、本発明の一例に係る胴縁取付用ブラケットとその取付方法について説明する。
【００１４】
図１は、本発明の一例に係る胴縁取付用ブラケットを示す側面図、図２は、図１に示される胴縁取付用ブラケットを建物の躯体壁へ取り付ける手順の一例を示す説明図、図３、４は、図１に示される胴縁取付用ブラケットを建物の躯体壁へ取り付ける手順の他の例を示す説明図である。なお、図１〜図４において、同じ符号は同じ部材又は部位を示す。
【００１５】
図１において、１はブラケット本体、２はアンカー部、３は断熱材押え板、４は胴縁受け板である。
【００１６】
ブラケット本体１は、断熱性を重視した場合はプラスチック製でもよいが、一般的にはステンレススチールなどの金属の杆状体で構成されており、一端側の中心部にアンカー固定部として雌ネジ部５が設けられ、他端側の外周面に雄ネジ部６が設けられている。また、雄ネジ部６が設けられた他端側の末端には、ボルトの頭部状の形状をなす工具受け部７が設けられている。この工具受け部７は、ネジの締め付けに用いるレンチなどの締め付け用工具を接続する箇所で、例えば雄型の六角レンチなどが嵌まり合う凹部として設けることもできる。この工具受け部７を設けておくことにより、後述するアンカー部２の雄ネジ部５とブラケット本体１の雌ネジ部５の螺合締め付け時に、締め付け用工具を接続するための冶具を介在させる手間を省くことができる。
【００１７】
上記工具受け部７は、平面面積（図１における上方から見た面積）が雄ネジ部６の平面面積より小さくなるように形成することが好ましい。工具受け部７の面積を小さくしておくことで、後述する断熱材押え板３、胴縁受け板４の雄ネジ部６への取付けが容易になり、断熱材２０（図６参照）を押し付けて貫通させやすくなる。
【００１８】
上記ブラケット本体１の中間部に、外方に張り出した鍔部８が設けられており、この鍔部８から突出したブラケット本体１の一端側の端面に開口して前記雌ネジ部５が形成されており、この一端側とは逆方向に突出したブラケット本体１の他端側に前記雄ネジ部６が形成されている。雌ネジ部５はその深さは深くても鍔部８の位置を越えず、その手前とすると、ブラケットの耐力が向上し好ましい。
【００１９】
鍔部８は、本例の胴縁取付用ブラケットを図２、図３、図４に示されるようにして建物の躯体壁１７に取り付けたときに、躯体壁１７に圧接されるもので、躯体壁１７への圧接側（雌ネジ部５側）の内周部には、ブラケット本体１を囲む位置に窪み部９が形成されている。また、この窪み部９に対応する位置に、１または複数の接着材充填確認用の貫通孔１０が形成されている。窪み部９と貫通孔１０の役割については後述する。
【００２０】
また、鍔部８は、これを躯体壁１７の外面に当接させた状態でブラケット本体１をアンカー部２に固定すると、ブラケット本体１に外装材の重量などの軸直交方向に外力を受けた際の固定度を向上させ、ブラケット本体１の回転をしにくくする効果を有する。また、鍔部８を設けることにより、ブラケット本体１の一定長さを躯体壁１７から突出させて取り付けることが容易に可能となる。アンカーは打ち込みに伴って先端が開いてアンカー効果を発揮するタイプのものを使うと、容易に施工が可能となる。
【００２１】
アンカーは、先端側（ブラケット本体１との接続側）に、ブラケット本体１の雌ネジ部５と螺合する雄ネジ部１１が形成され、後端側（図２、図３、図４に示される削孔１８への打ち込み側）に、後端に向かって徐々に拡径した拡径頭部１２と、該拡径頭部１２より内側に位置するストッパー１３とが設けられた杆状のアンカーピン１４を備えている。また、このアンカーピン１４のストッパー１３と拡径頭部１２の小径側との間には、後端縁から軸方向にスリット１５が切り込まれたアンカー環１６が、先端がストッパー１３に係止され、アンカーピン１４の軸方向にスライド可能に嵌め込まれている。アンカー環１６の表面には凸状片１６ａが形成されている。
【００２２】
断熱材押え板３は、中央部に雌ネジ部１９が貫通した板状材で、雌ネジ部１９をブラケット本体１の雄ネジ部６に螺合させることで、ブラケット本体１の周囲に張り出した状態で取り付けられるものとなっている。この断熱材押え板３は、図６に示されるように、アンカー部２で躯体壁１７に固定したブラケット本体１を貫通させて躯体壁１７外面に押し付けた断熱材２０を、躯体壁１７との間に挟持するものとなっている。この断熱材押え板３は、金属製とすることもできるが、熱損失を抑えるために合成樹脂製とすることが好ましい。合成樹脂製とする場合は、雌ネジ部１９を設けずに以下の方法とすることも好ましい。ブラケット本体１と接触する部分の断熱材押え板３の肉厚をブラケット本体１の雄ネジ部６に設けられたネジ山間の間隔と略同一とし、中央部のブラケット本体１が貫通する孔の径を雄ネジ部６のネジ部の谷径よりわずかに大きく、雄ネジ部６のネジ部の山径より小さくする。このように構成すると、断熱材押え板３はブラケット本体１に差し込む作業により装着でき、ネジを締める作業より容易であるし、断熱材押え板３が断熱材２０を押し付ける程度も容易に調整できる。また、断熱材押え板３は、断熱材２０を設けない場合は勿論のこと、断熱材２０の取り付け形態によっては省略することができる。
【００２３】
胴縁受け板４は、中央部に雌ネジ部２１が貫通した板状材で、上記断熱材押え板３の後から雌ネジ部２０をブラケット本体１の雄ネジ部６に螺合させることで、ブラケット本体１の周囲に張り出した状態で取り付けられるものとなっている。この胴縁受け板４は、図６に示されるように、胴縁２２の取り付け部となるもので、通常、金属で構成されている。また、胴縁受け板４の取り付け位置の調整は、ブラケット本体１の雄ネジ部６への螺合位置の調整によって行うことができる。
【００２４】
図６において、ブラケット本体１の躯体壁１７と当接する面と胴縁受け板４までの距離は、一般的には１０〜１５０ｍｍ、躯体壁１７表面に断熱材２０を装着する場合は３０〜１５０ｍｍとなり、さらに一般的には各々１０〜１００、３０〜１００ｍｍが用いられる。またブラケット本体１の外径は、躯体壁１７と当接する面と胴縁受け板４までの距離や想定する外装材２４の重量、地震力および振動荷重等によって決定されるが、一般的には８〜２４ｍｍ、さらに一般的には１０〜２０ｍｍが用いられる。
【００２５】
次に、本例の胴縁取付用ブラケットの躯体壁１７への取り付け方法の一例を図２に基づいて説明する。
【００２６】
まず、図２（ａ）に示されるように、躯体壁１７の外面側に、開口部から内部へと大径部１８ａと小径部１８ｂが連なった形状の削孔１８を形成し、削孔１８内にアンカー部２を差し込み、アンカー部２の後端側が削孔１８の小径部１８ｂに嵌まり合うまで打ち込み削孔１８内に樹脂モルタルなどの接着剤２３を充填する。
【００２７】
次に、図２（ｂ）に示されるように、ブラケット本体１の雌ネジ部５にアンカー部２の雄ネジ部１１を途中までねじ込んで胴縁取付用ブラケットを連結し、鍔部８を躯体壁１７の外面に当接させるまで、当該ブラケット本体１を打ち込む。
【００２８】
次に、図２（ｃ）に示されるように、工具受け部７に接続した締め付け用工具で締め付ける。鍔部８が躯体壁１７の外面に当接した後にさらにブラケット本体１を締め付けると、アンカーピン１１がブラケット本体１に徐々に引き寄せられ、その拡径頭部１２がアンカー環１６内に入り込んで拡径させ、アンカー環１６が削孔１８の内壁に強く係合する。
【００２９】
アンカー環１６の径は削孔１８の小径部１８ｂの径よりもわずかに小さく、該アンカー環１６の表面に備えられた凸状片１６ａだけが小径部１８ｂの内壁面に接触するように構成され、さらに凸状片１６ａは打ち込む方向には抵抗が小さいが、抜け出し方向には抵抗が大きい構造となっている。従って、アンカーピン１１がブラケット本体１に引き寄せられる時に、アンカー環１６だけは移動せず、拡径頭部１２がアンカー環１６内に入り込んで拡径させることが可能となる。
【００３０】
なお、ブラケット本体１の鍔部８が躯体壁１７の外面に当接した後もさらにブラケット本体１を締め付けることにより、拡径頭部１２がアンカー環１６内に入り込んで、アンカー部２の固定が完了する。即ち、アンカー部２の角度は、削孔１８に打ち込んだ角度にかかわらず、締付け完了までの間に躯体壁１７に対して垂直の状態に矯正される。
【００３１】
上記胴縁取付用ブラケットの削孔１８への差し込み時ないし雌ネジ部５の雄ネジ部１１へのねじ込み時に、削孔１８内の接着剤２３の一部が押し出されてくるが、押し出された接着剤２３は鍔部８の窪み部９に収容され、さらに余剰の接着剤２３は、接着材充填確認用の貫通孔１０から外部へ押し出されることになる。従って、この貫通孔１０から接着剤２３が押し出されてくることを確認することで、十分な接着剤２３の充填が行われているかどうかを知ることができる。
【００３２】
本例の胴縁取付用ブラケットは、図３に示される方法で躯体壁１７へ取り付けることもできる。
【００３３】
まず、図３（ａ）に示されるように、躯体壁１７の外面側に、開口部から内部へと大径部１８ａと小径部１８ｂが連なった形状の削孔１８を形成し、削孔１８内に樹脂モルタルなどの接着剤２３を充填する。そして、ブラケット本体１の雌ネジ部５にアンカー部２の雄ネジ部１１を途中までねじ込んで連結した胴縁取付用ブラケットを、接着剤２３を充填した削孔１８内にアンカー部２側から差し込む。
【００３４】
次に、図３（ｂ）に示されるように、アンカー部２の後端側が削孔１８の小径部１８ｂに嵌まり合うまで打ち込む。
【００３５】
上記図３の状態で、工具受け部７にレンチなどの締め付け用工具を接続し、図３（ｃ）に示されるように、ブラケット本体１の雌ネジ部５をアンカー部２の雄ネジ部１１にねじ込み、鍔部８を躯体壁１７の外面に当接させ、さらに締め付け用工具で締め付け、図２での説明と同様にアンカー環１６を拡径させて小径部１８ｂに強く係合させ、アンカーピン１１を定着させる。
【００３６】
本例の胴縁取付用ブラケットは、図４に示される方法で躯体壁１７への取り付けることもできる。
【００３７】
まず、図４（ａ）に示されるように、躯体壁１７の外面側に、開口部から内部へと大部１８ａと小径部１８ｂが連なった形状の削孔１８を形成し、ブラケット本体１の雌ネジ部５にアンカー部２の雄ネジ部１１を途中までねじ込んで連結した胴縁取付用ブラケットを削孔１８内にアンカー部２側から差し込み、アンカー部２の後端側が削孔１８の小径部１８ｂに嵌まり合うまで打ち込む。
【００３８】
上記アンカー部２の打ち込み後、図４（ｂ）に示されるように、アンカー部２の雄ネジ部１１からブラケット本体１の雌ネジ部５を外し、アンカー部２が打ち込まれた削孔１８内に接着剤２３を充填する。
【００３９】
接着剤２３の充填後、図４（ｃ）に示されるように、ブラケット本体１の雌ネジ部５をアンカー部２の雄ネジ部１１にねじ込み、鍔部８を躯体壁１７の外面に当接させ、さらに工具受け部７に接続した締め付け用工具で締め付け、図２での説明と同様にアンカー環１６を拡径させて小径部１８ｂに強く係合させ、アンカーピン１１を定着させる。
【００４０】
ブラケット本体１の雌ネジ部５をアンカー部２の雄ネジ部１１にねじ込むことにより、ブラケット本体１の一端部（雌ネジ部５側）が削孔１８の大径部１８ａに入り込み、削孔１８内の接着剤２３を押し出すが、一部は鍔部８の窪み部９に収容され、さらに余剰の接着剤２３は、貫通孔１０から外部へ押し出されることになる。
【００４１】
本例の胴縁取付用ブラケットのアンカー部２は、上記のように、ブラケット本体１の雌ネジ部５をアンカー部２の雄ネジ部１１に強くねじ込むことで拡径するアンカー環１６を備えたねじ込み拡径型のものとなっているが、ピンの先端に食い込んだ楔型部材を備え、１８の底部までこのピンを打ち込むことで楔型部材がさらにピンの先端に食い込んで、ピンの先端を拡径する打ち込み拡径型のものとすることもできる。また、スクリュー型のアンカー部２としたり、返しの付いた打ち込み固定型のアンカー部２を用いる場合、削孔１８は、大径部１８ａに相当する部分のみのものとし、その底部にアンカー部２をねじ込んだり打ち込むことで固定することもできる。
【００４２】
次に、本発明の胴縁取付用ブラケットを用いた建物の外壁構造について説明する。
【００４３】
図５は、本発明の胴縁取付用ブラケットを用いた建物の外壁構造の一部を示す施工途中段階の斜視図、図６は、本発明の胴縁取付用ブラケットを用いた建物の外壁構造の一部を示す断面図である。なお、図５および図６において、図１〜図３と同じ符号は同じ部材または部位を示す。
【００４４】
特に図６に示されるように、建物の躯体壁１７の外面側には、大径部１８ａと小径部１８ｂが連なった削孔１８が形成されており、図２、図３、図４で説明したようにして、接着剤２３を併用して、本発明の胴縁取付用ブラケットが多数取り付けられている。
【００４５】
本発明の胴縁取付用ブラケットが固定された躯体壁１７の外面には、ブラケット本体１を貫通させて断熱材２０が押し付けられている。この断熱材２０は、各ブラケット本体１の雄ネジ部６に螺合された断熱材押え板３によって、躯体壁１７との間に挟持されている
【００４６】
断熱材２０としては、フェノールフォーム・ポリスチレンフォーム・硬質ウレタンフォームなどの合成樹脂系断熱材やグラスウール・ロックウールなどの繊維系断熱材を用いることができる。中でも５％歪時の圧縮強度が１０〜２０Ｎ／ｃｍ2程度のフェノールフォーム系断熱材で、表面材にポリエステル不織布が用いられたものが最も適する。この断熱材２０はブラケット本体１を貫通させる場合、断熱材２０に下孔加工をしなくても突き刺すことができるし、直径３〜１０ｃｍ程度の大きさの断熱材押え板３で容易に安定的に固定することができる。断熱材２０もしくは表面材がより硬いと、下孔加工が必要となるし、より柔らかい場合は突き刺した時に周辺部分も大きく崩れ補修が必要になったり、断熱材押え板３と断熱材２０との間に適切な反発力が発生しにくいので、断熱材２０の保持が不安定で位置ズレが生じやすくなる。断熱材押え板３の位置ズレを防止するために、断熱材押え板３とブラケット本体１の接合をネジ止めとしてさらにダブルナットなどの緩み止め処置をするなど特別の手段が必要になる。
【００４７】
各ブラケット本体１の雄ネジ部６には、さらに胴縁受け板４が螺合されており、複数の胴縁受け板４間に跨って掛け渡された胴縁２２が、胴縁受け板４にビスなどによって取り付けられている。胴縁２２としては、下向きコ字形断面の金属長尺材の両端を外方に屈曲させて鍔状突出部としたハット型材料を用いることができる。本例における胴縁２２は、このハット型材料で、鍔状突出部をビスなどで胴縁受け板４に固定することで取り付けられている。また、ハット型材料の胴縁２２には、外装材２４が、その頂部にビスなどで取り付けられている。
【００４８】
胴縁受け板４は、断熱材２０と外装材２２との間に十分な通気用空間を確保するために、断熱材２０から離れた位置に取り付けておくことが好ましい。また、胴縁２２は、通常縦方向に取り付けられるが、横方向に取り付けることもできる。また、胴縁２２に外装材２２を取り付けるのではなく、胴縁２２に交差する方向に二次胴縁（図示されていない）を取り付けて、この二次胴縁に外装材２２を取り付けることもできる。
【産業上の利用可能性】
【００４９】
本発明は建物の躯体壁に胴縁を取り付けるために用いる胴縁取付用ブラケットおよびその取付方法として好適に利用できる。
【図面の簡単な説明】
【００５０】
【図１】本発明の一例に係る胴縁取付用ブラケットを示す側面図である。
【図２】図１に示される胴縁取付用ブラケットを建物の躯体壁へ取り付ける手順の一例を示す説明図である。
【図３】図１に示される胴縁取付用ブラケットを建物の躯体壁へ取り付ける手順の他の例を示す説明図である。
【図４】図１に示される胴縁取付用ブラケットを建物の躯体壁へ取り付ける手順の他の例を示す説明図である。
【図５】本発明の胴縁取付用ブラケットを用いた建物の外壁構造の一部を示す施工途中段階の斜視図である。
【図６】本発明の胴縁取付用ブラケットを用いた建物の外壁構造の一部を示す断面図である。
【符号の説明】
【００５１】
１    ブラケット本体
２    アンカー部
３    断熱材押え板
４    胴縁受け板
４ａ  断熱材押え板本体
４ｂ  円筒状片
５    雌ネジ部
６    雄ネジ部
７    工具受け部
８    鍔部
９    窪み部
１０  貫通孔
１１  雄ネジ部
１２  拡径頭部
１３  ストッパー
１４  アンカーピン
１５  スリット
１６  アンカー環
１６ａ  凸状片
１７  躯体壁
１８  削孔
１８ａ  大径部
１８ｂ  小径部
１９  雌ネジ部
２０  断熱材
２１  雌ネジ部
２２  胴縁
２３  接着剤
２４  外装材
【図１】
2006307421.tif 000003
【図２】
2006307421.tif 000004
【図３】
2006307421.tif 000005
【図４】
2006307421.tif 000006
【図５】
2006307421.tif 000007
【図６】
2006307421.tif 000008